(57)【要約】【課題】上下積み重ねたコンテナがローリングしてもしっかりと定位させることができるツイストロック金具を提供する。【解決手段】揺動手段（７）は、その長手一端部（７１）が第２の止め部（５）に枢着され、他端部（７２）が第２の隅金具（３２）の内壁面に対し第２の止め部（５）が第２の隅金具（３２）から抜ける脱離位置及び第２の止め部（５）が第２の隅金具（３２）の内壁面に引っ掛けて抜けなくなる掛止位置の間に揺動するように設けられている。【選択図】図２
2010018349.tif 000002
【特許請求の範囲】
【請求項１】
軸線を中心として縦長に形成されてコンテナの堆積体における第１のコンテナの第１の隅金具と、前記第１のコンテナと軸線方向に上下対応する第２のコンテナの第２の隅金具を連結するためのツイストロック金具であって、
前記軸線に沿って前記第１の隅金具に挿通して掛止される一端側の第１の止め部と、
前記第１の止め部と一体に形成され、前記軸線に沿って前記第２の隅金具に挿通して前記第２の隅金具を定位させる他端側の第２の止め部と、
前記第２の止め部と共に前記第２の隅金具に挿通して設けられた揺動手段とをそなえてなり、
前記揺動手段は、その長手一端部が前記第２の止め部に枢着され、他端部が前記第２の隅金具の内壁面に対し前記第２の止め部が前記第２の隅金具から抜ける脱離位置及び前記第２の止め部が前記第２の隅金具の内壁面に引っ掛けて抜けなくなる掛止位置の間に揺動するように設けられていることを特徴とするツイストロック金具。
【請求項２】
さらに、前記第１の隅金具と前記第２の隅金具とが所定の間隔をおくように、前記第１の止め部と前記第２の止め部との間に一体に形成されているスペーサ部をそなえていることを特徴とする請求項１に記載のツイストロック金具。
【請求項３】
前記揺動手段は、ウェイトアームが前記揺動手段を常に前記脱離位置に向かって回動するよう、前記他端部から前記脱離位置側へ前記長手方向と直角に突出て延びるように設けられていることを特徴とする請求項１又は２に記載のツイストロック金具。
【請求項４】
前記第２の止め部は、前記揺動手段の一端部が枢着された支持壁があり、該支持壁に、前記揺動手段が前記掛止位置から前記脱離位置へ回動して前記脱離位置に停止定位するブロックを設けていることを特徴とする請求項３に記載のツイストロック金具。
【請求項５】
前記揺動手段は、前記軸線を中心とする両側にそれぞれ１つ枢設されていることを特徴とする請求項１に記載のツイストロック金具。
【請求項６】
さらに、前記長手方向に沿って前記第１の止め部から前記第２の止め部に延びる棒状を呈し、てこ作用で作動する揺動付勢手段を設け、該揺動付勢手段の長手両端部が相対的に前記掛止位置及び前記脱離位置の間に揺動するように、該両端部の間に設けた枢軸を中心として前記第１の止め部及び前記第２の止め部で回動自在に設けられていることを特徴とする請求項５に記載のツイストロック金具。
【請求項７】
前記第１の止め部は、前記長手方向に沿って前記揺動付勢手段の一端部を収容する軸孔が開けられ、
前記揺動付勢手段の一端部は、前記軸孔内に収容される中空部を画成するフレームを有し、前記フレームの中空部に移動自在なボールを設け、前記フレームの第２の止め部側の内面が向斜して前記ボールが自重により該内面の一番低いところに転がるようにすることを特徴とする請求項６に記載のツイストロック金具。
【請求項８】
前記第２の止め部は、前記第２の隅金具に挿入するウェブ壁と、前記ウェブ壁の肉厚方向の２端からそれぞれ前記第１の止め部側に直立に延びて前記揺動付勢手段の他端部を前後挟む前記ウェブ壁とにより通穴を形成する２つの支持壁とによってＵの字形を形成し、
前記揺動手段の一端部は、前記２つの支持壁に枢着され、前記他端部は、前記通穴内に向けて揺動して前記第２の隅金具から抜ける脱離位置及び前記通穴の外部に向けて揺動して前記第２の隅金具に引っ掛けて抜けない掛止位置の間に揺動するように設けられていることを特徴とする請求項１又は５に記載のツイストロック金具。
【請求項９】
前記第２の止め部のウェブ壁は、前記通穴側の内面が向斜して、前記揺動手段の他端部の外側面が前記通穴の外部に向けて揺動して該内面に当るとき前記軸線と鋭角をなすように湾曲状に形成されていることを特徴とする請求項８に記載のツイストロック金具。
【発明の詳細な説明】
【技術分野】
【０００１】
本発明は、ツイストロック金具に関し、特に、上下積み重ねたコンテナ同士の隅を挿入、固定するツイストロック金具に関する。
【背景技術】
【０００２】
従来例として、図７、８に示されるように、貨物船１１のデッキにコンテナ１２、１２、・・・を積む際には、積み重ねたコンテナ１２、１２、・・・の横方向のずれを防止するために、上下のコンテナ同士１２、１２を縦軸回りに回転可能に設けられたツイストロック金具１３が用いられる。クレーンが吊り具１５によりコンテナ１２を吊り上げて、各コンテナ１２の四隅に設けられた挿込式の隅金具１４、１４に開けられた長孔１４０、１４０に、軸線を中心にして縦長に形成されたツイストロック金具１３の例えば上下に二重にフランジを設けた上部フランジ部１３２を上コンテナ１２の隅金具１４に回転可能に挿通して９０°回転させると、上部フランジ部１３２が上コンテナ１２の隅金具１４に掛止し、下部フランジ部でなるスペーサ１３１を介して上部フランジ部１３２と連結された下部ボルト部１３３が下コンテナ１２の隅金具１４に挿通してコンテナ１２、１２を上下積層状に定位して連結することができる。
【発明の開示】
【発明が解決しようとする課題】
【０００３】
上記ツイストロック金具１３によれば、コンテナ１２の隅金具１４に挿入したり、取り外したりするときの取り扱いが簡単であるが、貨物船が風や波のためにローリングして積み重ねたコンテナが傾斜したとき、ツイストロック金具１３の下部ボルト部１３３が隅金具１４から容易に抜けて、コンテナの堆積体の荷崩れが起こり、莫大な損失を来たす上、安全性の問題もあった。
【０００４】
本発明は、上記問題点に鑑みてなされたものであり、上下積み重ねたコンテナがローリングしてもしっかりと定位（固定）させることができるツイストロック金具を提供することを目的とする。
【課題を解決するための手段】
【０００５】
上記目的を達成するため、本発明は、軸線を中心として縦長に形成されてコンテナの堆積体における第１のコンテナの第１の隅金具と、前記第１のコンテナと軸線方向に上下対応する第２のコンテナの第２の隅金具を連結するためのツイストロック金具であって、前記軸線に沿って前記第１の隅金具に挿通して掛止される一端側の第１の止め部と、前記第１の止め部と一体に形成され、前記軸線に沿って前記第２の隅金具に挿通して前記第２の隅金具を定位させる他端側の第２の止め部と、前記第２の止め部と共に前記第２の隅金具に挿通して設けられた揺動手段とをそなえてなり、前記揺動手段は、その長手一端部が前記第２の止め部に枢着され、他端部が前記第２の隅金具の内壁面に対し前記第２の止め部が前記第２の隅金具から抜ける脱離位置及び前記第２の止め部が前記第２の隅金具の内壁面に引っ掛けて抜けなくなる掛止位置の間に揺動するように設けられていることを特徴とするツイストロック金具を提供する。
【０００６】
このツイストロック金具では、さらに、前記第１の隅金具と前記第２の隅金具とが所定の間隔をおくように、前記第１の止め部と前記第２の止め部との間に一体に形成されているスペーサ部をそなえていることが好ましい。
【０００７】
このツイストロック金具では、前記揺動手段は、ウェイトアームが前記揺動手段を常に前記脱離位置に向かって回動するよう、前記他端部から前記脱離位置側へ前記長手方向と直角に突出て延びるように設けられていることが好ましい。
【０００８】
このツイストロック金具では、前記第２の止め部は、前記揺動手段の一端部が枢着された支持壁があり、該支持壁に、前記揺動手段が前記掛止位置から前記脱離位置へ回動して前記脱離位置に停止定位するブロックを設けていることが好ましい。
【０００９】
このツイストロック金具では、前記揺動手段は、前記軸線を中心とする両側にそれぞれ１つ枢設されていることが好ましい。
【００１０】
このツイストロック金具では、さらに、前記長手方向に沿って前記第１の止め部から前記第２の止め部に延びる棒状を呈し、てこ作用で作動する揺動付勢手段を設け、該揺動付勢手段の長手両端部が相対的に前記掛止位置及び前記脱離位置の間に揺動するように、該両端部の間に設けた枢軸を中心として前記第１の止め部及び前記第２の止め部で回動自在に設けられていることが好ましい。
【００１１】
このツイストロック金具では、前記第１の止め部は、前記長手方向に沿って前記揺動付勢手段の一端部を収容する軸孔が開けられ、前記揺動付勢手段の一端部は、前記軸孔内に収容される中空部を画成するフレームを有し、前記フレームの中空部に移動自在なボールを設け、前記フレームの第２の止め部側の内面が向斜して前記ボールが自重により該内面の一番低いところに転がるようにすることが好ましい。
【００１２】
このツイストロック金具では、前記第２の止め部は、前記第２の隅金具に挿入するウェブ壁と、前記ウェブ壁の肉厚方向の２端からそれぞれ前記第１の止め部側に直立に延びて前記揺動付勢手段の他端部を前後挟む前記ウェブ壁とにより通穴を形成する２つの支持壁とによってＵの字形を形成し、前記揺動手段の一端部は、前記２つの支持壁に枢着され、前記他端部は、前記通穴内に向けて揺動して前記第２の隅金具から抜ける脱離位置及び前記通穴の外部に向けて揺動して前記第２の隅金具に引っ掛けて抜けない掛止位置の間に揺動するように設けられていることが好ましい。
このツイストロック金具では、前記第２の止め部のウェブ壁は、前記通穴側の内面が向斜して、前記揺動手段の他端部の外側面が前記通穴の外部に向けて揺動して該内面に当るとき前記軸線と鋭角をなすように湾曲状に形成されていることが好ましい。
【発明の効果】
【００１３】
本発明のツイストロック金具によれば、貨物船が風や波のためにローリングしてコンテナの堆積体が傾斜したとき、ツイストロック金具の第２の止め部内に枢着された揺動手段が揺動し、揺動手段の他端部が掛止位置へ回動して第２の隅金具から抜けないように第２の止め部を第２の隅金具内壁面を引っ掛けて挿入したままに保持することができるので、コンテナを上下積層状に連結することができ、コンテナの横方向の安定性を向上することができる。
【００１４】
本発明のツイストロック金具によれば、貨物船が風や波のためにローリングしてコンテナの堆積体が傾斜したとき、ツイストロック金具の第２の止め部内に枢着された揺動手段が揺動し、揺動手段の他端部が掛止位置へ回動して第２の隅金具から抜けないように第２の止め部を第２の隅金具内壁面を引っ掛けて挿入したままに保持することができるので、コンテナを上下積層状に連結することができ、コンテナの横方向の安定性を向上することができる。
【００１５】
また、上記揺動付勢手段を設けたことにより、船体の傾斜に伴って揺動することにより揺動手段の作動をより有効に付勢することができる。また、上記揺動付勢手段を設けたことにより、船体の傾斜に伴って揺動することにより揺動手段の作動をより有効に付勢することができる。
【発明を実施するための最良の形態】
【００１６】
以下、図面を参照しながら本発明の実施の形態について説明する。
【００１７】
図１〜図３は、本発明のツイストロック金具の一実施の形態を示し、図１は、このツイストロック金具の斜視図、図２は図１のツイストロック金具をII-II線で切断して示す斜視図、図３は、コンテナの隅金具の断面視で図２のツイストロック金具をコンテナの隅金具に挿入した正面図である。この実施の形態のツイストロック金具１は、図６に示されているように、各コンテナの四隅に設けられた挿込式の隅金具に開けられた対応長孔に、軸線Ｘを中心にして縦長に形成されたツイストロック金具１を挿通して従来ののツイストロック金具のように掛止するようになっている。
【００１８】
この実施の形態のツイストロック金具１は、長手の一端側でその外形がフランジ状をした第１の止め部６と、長手の他端側でその外形がボルト状をした第２の止め部５と、その外形がフランジ状をしたスペーサ部４とをそなえている。
【００１９】
一端側の第１の止め部６は、一端側から軸孔６１が形成され、図３に示すように、第１の隅金具３１の長孔３１２に通して空洞３１０に挿通回転して第１の隅金具３１に掛止されるフランジ６２を形成している。
【００２０】
スペーサ部４は、第１の隅金具３１と第２の隅金具３２とが所定の間隔をおいて第１の止め部６と第２の止め部５との間に一体に形成され、且つ軸孔６１に連通する貫通孔４０が設けられている。
【００２１】
他端側の第２の止め部５は、スペーサ部４を介して第１の止め部６と一体に形成され、長手方向に沿って第２の隅金具３２の長孔３２２に通して空洞３２０に挿通して第２の隅金具３２を定位させるものである。
【００２２】
本例のツイストロック金具では、従来例のツイストロック金具と違って揺動手段７をさらに設けている。
【００２３】
揺動手段７は、第２の止め部５と共に第２の隅金具３２に挿通して掛止されるものであって、この例においては、相対的に揺動するように、第２の止め部５の軸線Ｘを中心とする両側にそれぞれ１つ枢設されている。
【００２４】
揺動手段７は、長手一端部７１が第２の止め部５に枢着され、他端部７２が隅金具３２の内壁面に対し第２の止め部５が第２の隅金具３２から抜ける脱離位置及び第２の止め部５が第２の隅金具３２の内壁面に引っ掛けて抜けなくなる掛止位置の間に左右揺動するように設けられている。なお、「前」、「後」、「左」、「右」、「上」、「下」は図３、４を見た方向に従う。
【００２５】
揺動手段７、７は、この例においては、揺動手段７、７を常に脱離位置に向かって回動可能にウェイトアーム７５、７５がすれ違って互いに干渉せずにそれぞれの他端部７２、７２から対向的に直角に突出て延びるように設けられている。
【００２６】
第２の止め部５は、第２の隅金具３２に挿入するウェブ壁５２とウェブ壁５２の肉厚方向の前端、後端から直立に延びて揺動手段７の一端部７１が枢着される前後対向する２つの支持壁５１、５１とによって側面視で通穴５０を形成したＵの字形に形成されている。該支持壁５１に、揺動手段７、７が掛止位置から脱離位置へ回動して脱離位置に定位するように揺動手段７、７の内側面７４、７４が接触するブロック５３が突出て設けられている。第２の止め部５のウェブ壁５２の通穴５０側の内面５２１が向斜して、揺動手段７の他端部７２が通穴５０の外部に向けて揺動して揺動手段７、７の外側面７３、７３が該内面５２１と当るとき軸線Ｘと鋭角をなすよう湾曲状に形成されている（図４参照、θ＜９０度）。
【００２７】
揺動付勢手段８は、軸線Ｘに沿って第１の止め部６の軸孔６１からスペーサ部４の貫通孔４０を通して第２の止め部５に延びる棒状を呈してこ作用で作動するものである。該揺動付勢手段８の長手両端部８１、８２が相対的に掛止位置及び脱離位置の間に揺動するように、該両端部８１、８２の間に設けた枢軸８０を中心として軸線Ｘに沿って第１の止め部６及び第２の止め部５で回動自在に設けられている。
【００２８】
この実施例においては、揺動付勢手段８の一端部８１は、第１の止め部６の軸孔６１に収納される中空部８１０を画成するフレーム８３を有し、フレーム８３の中空部８１０に移動自在なボール８４を設けている。フレーム８３の第２の止め部５側の内面８３１が向斜するように窪んでいて、ボール８４が自重で常に該内面８３１の一番低いところに転がることができる。
【００２９】
次に、図４〜６に参照しながらこの実施の形態のツイストロック金具１の動作を説明する。
【００３０】
このツイストロック金具１の第１の止め部６をコンテナの堆積体２における第１のコンテナ２１の隅金具３１の長孔３１１を介して空洞３１０に挿込みながら、第２のコンテナ２２の隅金具３２の長孔３２１を介して空洞３２０に挿入して、所定角度だけ回動すると係脱することにより、コンテナ２１とコンテナ２２を連結すると共にその連結を解除するようになされる。
【００３１】
コンテナの堆積体２が傾斜しないとき、図３のように、揺動付勢手段８は揺動せず、揺動付勢手段８のフレーム８３内のボール８４がフレーム８３内の内面８３１の一番低いところに転がり、揺動手段７のウェイトアーム７５、７５が相対的に脱離位置に定位される。
【００３２】
図４、５に示されているように、コンテナの堆積体２が左右傾斜すると、揺動手段７や揺動付勢手段８も揺動し始める。コンテナの堆積体２が、例えば、左側に傾いていくと、揺動手段７、７、揺動付勢手段８も左側に傾くが、ボール８４が重力で左側に移動して揺動付勢手段８の他端部８２に付勢して右側の揺動手段７を推す。したがって、揺動手段７、７の他端部７２、７２が通穴５０から突き出て第２の隅金具３２内に掛止され、第２の止め部５は第２の隅金具３２から脱離することはない。
【００３３】
一方、図５、６に示されているようにコンテナの堆積体２が右側に傾いていくと、揺動手段７、７、揺動付勢手段８も右側に傾くが、ボール８４が重力で右側に移動して揺動付勢手段８の他端部８２に付勢して左側の揺動手段７を推す。したがって、揺動手段７、７の他端部７２、７２が通穴５０から突き出て第２の隅金具３２内に掛止され、第２の止め部５は第２の隅金具３２から脱離することはない。したがって、コンテナは安全に連結したままとなる。
【００３４】
なお、第２の止め部５のウェブ壁５２の通穴５０側の内面５２１が向斜するように湾曲状に形成されているので、揺動手段７、７の外側面７３が軸線Ｘと鋭角をなして該内面５２１に接触することができる。したがって、揺動手段７、７は掛止位置から脱離位置へも早く回動することができる。
【００３５】
なお、本発明のツイストロック金具は以上の実施の形態に限定されることなく、種々変形が可能である。例えば、揺動付勢手段８は、揺動手段７、７を共に第２の隅金具３２内に掛止する掛止手段とするとき揺動手段７、７の揺動に付勢して用いられるものであるが、揺動手段７を第２の止め部５内に掛止する効果を備えるような構成を有するならば、揺動付勢手段８を用いなくもよい。この実施の形態においては、揺動手段は、軸線Ｘを中心とする２側にそれぞれ１つ配置されているが、第２の止め部５が第２の隅金具３２から脱離しないように掛止する構成をすることができれば、揺動手段を上記構成に限ることはない。
【００３６】
本発明のツイストロック金具１によれば、貨物船が風や波のためにローリングしてコンテナの堆積体が傾斜したとき、ツイストロック金具１の第２の止め部５内に枢着された揺動手段７が揺動して他端部７２が掛止位置へ回動して第２の隅金具３２から抜けないように第２の止め部５を第２の隅金具３２内壁面を引っ掛けて挿入したままに保持することができる。したがってコンテナの堆積体２が傾斜してもしっかりと上下積層状に連結することができ、コンテナの横方向の安定性を向上することができる。
【００３７】
また、上記揺動付勢手段を設けたことにより、船体の傾斜に伴って揺動することにより揺動手段の作動をより有効に付勢することができる。
【産業上の利用可能性】
【００３８】
本発明のツイストロック金具は、コンテナの横方向の安定性の向上をするツイストロック金具に有用である。
【図面の簡単な説明】
【００３９】
【図１】本発明のツイストロック金具の一実施の形態の斜視図である。
【図２】図１のツイストロック金具をII-II線で切断して示す斜視図。
【図３】コンテナの隅金具の断面視で図２のツイストロック金具をコンテナの隅金具に挿入した正面図である。
【図４】揺動手段７、７、揺動付勢手段８が揺動したときのツイストロック金具の正面断面図である。
【図５】挿入されたツイストロック金具が傾いても隅金具内に掛止した状態を示すコンテナの隅金具の正面断面図である。
【図６】貨物船に積み重ねたコンテナが傾いた状態を示す正面断面図である。
【図７】ツイストロック金具によってどのようにして上下コンテナを連結するかを概略的に示す正面図である。
【図８】ツイストロック金具をどのようにして上下コンテナを連結するかを概略的に示す正面図である。
【符号の説明】
【００４０】
１…ツイストロック金具
２…コンテナの堆積体
２１…第１のコンテナ
２２…第２のコンテナ
３１…第１の隅金具
３１０、３２０…空洞
３１１、３２１…フレーム
３１２、３２２…長孔
３２…第２の隅金具
４…スペーサ部
４０…貫通孔
５…第２の止め部
５０…通穴
５１…支持壁
５２…ウェブ壁
５２１…内面
５３…ブロック
６…第１の止め部
６１…軸孔
６２…つば
７…揺動手段
７１…一端部
７２…他端部
７３…外側面
７４…内側面
７５…ウェイトアーム
８…揺動付勢手段
８０…枢軸
８１、８２…端部
８１０…中空部
８３…フレーム
８３１…内面
８４…ボール
【図１】
2010018349.tif 000003
【図２】
2010018349.tif 000004
【図３】
2010018349.tif 000005
【図４】
2010018349.tif 000006
【図５】
2010018349.tif 000007
【図６】
2010018349.tif 000008
【図７】
2010018349.tif 000009
【図８】
2010018349.tif 000010